(57)【特許請求の範囲】
【請求項１】
基礎に埋設された複数のアンカーボルトに周辺部がナットで固定されるベースプレートと、該ベースプレートに於けるナット位置より中央部に於いて下端部が支持される角形柱と、該角形柱に隣接して立設されるパネルと、を備えた柱パネル支持構造に於ける前記パネルの下端部を支持するためのパネル支持体に於いて、互いに接合するための掛合部を有し且つ接合することにより前記角形柱の下端部を取り巻いて環装し得る一対の分割体を備え、各分割体は前記パネルの下端部を支持する水平部を有し、該水平部は縁部がリブで補強され、更に、水平部を前記ベースプレート上に支持するために各水平部に於ける互いに接触する端部と該端部の中間部に板状の支持脚が設けられると共にアンカーボルトと対応する位置に該アンカーボルトに螺合されたナットの上面に支持される環状脚が設けられていることを特徴とするパネル支持体。
【発明の詳細な説明】
【０００１】
【発明の属する技術分野】
本発明は、下端部がベースプレートによって支持された角形柱の前記ベースプレートをナットを介して基礎に埋設されたアンカーボルトに固定し、この角形柱に隣接させてパネルを立設する際に、前記ベースプレート上に配置されてパネルの下端部を支持するパネル支持体に関するものである。
【０００２】
【従来の技術】
柱や梁からなる躯体にＡＬＣ版やＰＣ版等のパネルを取り付けて外壁を構成した建築物が普及している。このような建築物では、出隅部や入隅部にはこれらの隅部に配置された柱に隣接させて幅寸法の小さいコーナーパネルが立設され、平面部にはコーナーパネルに比較して幅寸法の大きい外壁パネルが立設される。
【０００３】
躯体が鉄骨ラーメン構造である場合、この躯体を支持する基礎は、下端部が矩形状のベースプレートによって支持された鋼管からなる角形柱を固定する柱脚基礎部と、柱脚基礎部を接続する基礎梁部とによって構成され、且つ夫々予め設定された天端レベルを有している。即ち、柱脚基礎部の天端レベルは基礎梁部の天端レベルよりも低く設定されている場合もあり、この場合、柱脚基礎部に角形柱を固定した後、モルタルを充填して柱脚を埋設すると共に基礎梁部の天端レベルと同一のレベルに設定している。
【０００４】
建築物の１階部分の外壁を構成する場合、外壁パネルの下端は基礎梁上に固定された壁受用金物によって支持されるため、柱脚基礎部に対するモルタルの充填の有無に関わらず取付工事を進行させることが出来る。然し、出隅部や入隅部に配置されるコーナーパネルは柱脚基礎部の寸法よりも小さいため、該基礎部に対するモルタルの充填後でなくては取付工事を進行させることが出来ない。このため、工程順位の変更に対する自由度が低いという問題や、モルタルを充填した後の柱脚基礎部の天端レベルの精度を確保することが必要となるという問題が生じている。
【０００５】
上記問題を解決するために特開平６−１５８８１８号公報に開示された柱脚廻りパネル受け構造物が提案されている。この技術は、脚廻りに嵌合する切り欠き部分が形成された水平板と、水平板の外周縁に沿って固着された垂直板と、水平板の下面に固着され下端がベース面上に当接される垂直片とからなる一対の半体を組み合わせたパネル受け金物によって鋼管柱のベースを覆うことで、水平板上にパネルの下端を載置して支持し得るように構成したものである。この技術では、鋼管柱をアンカーボルトに固定した後、モルタル充填の有無に関わらずパネルの取付工事を進行させることが出来る。
【０００６】
【発明が解決しようとする課題】
上記パネル受け金物では、水平板上に載置されたパネルの重量は該水平板の下面に固着された垂直片を介してベースに伝達される。このため、パネルの載置位置によっては片荷になり、水平板に無理な力が掛かるという問題が生じる虞がある。
【０００７】
また一対の半体を組み合わせて固定する際に予め固着されたナットにボルトを締結することが必要であり、出隅部や入隅部に配置された鋼管柱の柱脚に環装する場合、作業が容易ではないという問題がある。
【０００８】
本発明の目的は、載置されたパネルの荷重を分散して支持することで一部に無理な力が掛かることを防止すると共に環装作業を容易に行うことが出来るパネル支持体を提供することにある。
【０００９】
【課題を解決するための手段】
上記課題を解決するために本発明に係るパネル支持体は、基礎に埋設された複数のアンカーボルトに周辺部がナットで固定されるベースプレートと、該ベースプレートに於けるナット位置より中央部に於いて下端部が支持される角形柱と、該角形柱に隣接して立設されるパネルと、を備えた柱パネル支持構造に於ける前記パネルの下端部を支持するためのパネル支持体に於いて、互いに接合するための掛合部を有し且つ接合することにより前記角形柱の下端部を取り巻いて環装し得る一対の分割体を備え、各分割体は前記パネルの下端部を支持する水平部を有し、該水平部は縁部がリブで補強され、更に、水平部を前記ベースプレート上に支持するために各水平部に於ける互いに接触する端部と該端部の中間部に板状の支持脚が設けられると共にアンカーボルトと対応する位置に該アンカーボルトに螺合されたナットの上面に支持される環状脚が設けられているものである。
【００１０】
上記パネル支持体では、一対の分割体に互いに接合するための掛合部を形成したので、これらの分割体を対向させて夫々の掛合部を互いに掛合させることで接合することが出来る。従って、角形柱が出隅部や入隅部に配置されている場合であっても容易にパネル支持体を構成することが出来る。
【００１１】
各分割体の水平部をベースプレート上に支持するために一対の分割体が互いに接触する端部と該端部の中間部に板状の支持脚を設けると共に、アンカーボルトと対応する位置に該ボルトに螺合されたナットの上面に支持される環状脚を設けたので、パネル支持体の水平部にパネルを載置したとき、該パネルの荷重を板状の支持脚を介してベースプレートに伝達すると共に環状脚を介してナット，アンカーボルトに伝達することが出来る。即ち、水平部にはベースプレート及びアンカーボルトと対応して多数の荷重の伝達機能を有する部材が配置されることとなり、分割体の一部に無理な力が作用することがなく、安定した状態でパネルを支持することが出来る。
【００１２】
【発明の実施の形態】
以下、上記パネル支持体の最適な実施形態について図を用いて説明する。図１はパネル支持体の構成を説明する図、図２は分割体の三面図、図３は分割体の裏面図、図４は掛合部の例を説明する図、図５はパネル支持体を出隅部に配置する場合の構成を説明する展開図、図６は出隅部に於けるパネル支持体とパネルとの関係を説明する図、図７は独立柱を構成する際のパネル支持体とパネルとの関係を説明する図、図８は外壁の平面部を構成する際のパネル支持体とパネルとの関係を説明する図である。
【００１３】
図１〜図４によりパネル支持体Ａの構成について説明する。パネル支持体Ａは、同一の形状を持った一対の分割体１，１を互いに対向させて接合することで構成されている。
【００１４】
分割体１はポリプロピレン等の合成樹脂材料を射出成形することによって成形されており、一対の分割体１を互いに掛合させる掛合部２と、パネル１２の下端を支持する水平部３と、先端がベースプレート１３の上面と当接する板状の支持脚４と、先端がアンカーボルト１６に螺合されたナット１４の上面と当接する環状脚５とを有して構成されている。
【００１５】
水平部３はパネル１２の下端部を直接載置して支持するものであり、平面形状は一対の分割体１を接合したとき角形柱１１を環装し得るように該柱１１を構成する１辺の長さに対応する幅寸法と、前記辺と交差する方向の辺の長さの１／２の深さを有する切欠部を持ったコ字状に形成されている。そして水平部３は前記切欠部の両側に接合片３ａ，３ｂが形成され、これらの接合片３ａ，３ｂを結んで接続片３ｃが形成されている。
【００１６】
水平部３には全周に渡ってリブ６が形成されており、該リブ６によって水平部３の剛性を高めて曲げ強さを向上し得るように構成されている。
【００１７】
支持脚４は、各接合片３ａ，３ｂの先端であって水平部３の下面側、及び接続片３ｃの略中央であって水平部３の下面側に設けられている。支持脚４の先端から水平部３の上面までの長さは、支持脚４の先端をベースプレート１３に当接させたとき、水平部３がパネル１２の下端レベルに一致し得るように建物の躯体の設計段階で設定される。
【００１８】
環状脚５は、水平部３の下面であってアンカーボルト１６と対向する位置に設けられている。この環状脚５は筒状の脚によって構成され、内部にアンカーボルト１６のナット１４から突出した部分を収容して該ボルト１６の水平方向の設置誤差を吸収し得るように、アンカーボルト１６の外径よりも充分に大きい内径を持って形成されている。
【００１９】
基礎に埋設されるアンカーボルト１６は、該基礎の表面から突出する端部がパネルの下端レベルよりも上方に位置することのないように設定される。またナット１４によってベースプレート１３をアンカーボルト１６に固定するに際し、ナット１４の厚さ及び該ナット１４とベースプレート１３の間に配置される座金１５の厚さは一義的に設定される。
【００２０】
従って、環状脚５の先端から水平部３の上面までの長さは、環状脚５の先端をナット１４に当接させたとき、水平部３がパネル１２の下端レベルに一致し得るように建物の躯体の設計段階で設定される。特に、アンカーボルト１６がパネルの下端レベルと一致するレベルまで突出し得ることを考慮して環状脚５の内周に対応する水平部３に穴５ａを形成しておくことが好ましい。このような穴５ａを形成することで、アンカーボルト１６の長さ方向の設置誤差を吸収することが可能であり、且つ分割体１を成形する際の材料の削減と軽量化をはかることが可能である。
【００２１】
掛合部２は、弾性を有する掛合突起２ａと、掛合突起２ａを受け入れて係止する係止部２ｂとによって構成されている。掛合突起２ａは水平部３の一方の接合片３ａの先端に設けた支持脚４に形成され、係止部２ｂは他方の接合片３ｂに設けた支持脚４に形成されている。従って、一対の分割体１を互いに対向させたとき、掛合突起２ａは係止部２ｂと対向し、掛合突起２ａを係止部２ｂに差し込むことで接合することが可能である。
【００２２】
掛合突起２ａは、図２に示すように夫々先端に引掛部２ａ１  を設けた一対の突起によって形成することが可能であり、図４（ａ）に示すように、１本の突起の両側に夫々小さい凹凸からなる引掛部２ａ１  を形成した掛合突起２ａ、又は同図（ｂ）に示すように、ループ状に形成した掛合突起２ａ、或いは同図（ｃ）に示すように、１本の突起の両側に山状の引掛部２ａ１  を形成した掛合突起２ａ等種々の形状に形成することが可能である。
【００２３】
係止部２ｂは掛合突起２ａの引掛部２ａ１  と掛合して係止するものであり、自由状態に於ける引掛部２ａ１  の幅寸法よりも小さい幅寸法を有する通路と、該通路の端部に形成され引掛部２ａ１  と掛合する段部とによって形成されている。
【００２４】
上記の如く構成された掛合部２では、一対の分割体１を対向させることで係止部２ｂに掛合突起２ａを対向させ、両者を押圧することで掛合突起２ａを係止部２ｂに嵌合させると、引掛部２ａ１  が段部に掛合して係止される。これにより一対の分割体１を接合することが可能である。
【００２５】
尚、接合片３ａに設けた掛合突起２ａに隣接して位置決め片７が突設されており、接合片３ｂに設けた係止部２ｂに隣接した位置であって位置決め片７と対向する位置に該片７を受け入れるスリット８が形成されている。
【００２６】
次に、上記の如く構成されたパネル支持体Ａを用いてパネルを支持する支持構造について説明する。図５，図６は出隅部に配置された角形柱１１にパネル支持体Ａを環装してコーナーパネル１２の下端を支持する構造を説明するものである。
【００２７】
図に於いて、角形柱１１の下端部にはベースプレート１３が固着されており、該ベースプレート１３はナット１４，座金１５を介して、出隅部の柱脚基礎１７に所定のピッチで埋設された複数のアンカーボルト１６に固定されている。
【００２８】
上記の如くアンカーボルト１６に固定された角形柱１１を挟んで一対の分割体１を対向させて配置し、掛合突起２ａを係止部２ｂに掛合させることで、パネル支持体Ａを角形柱１１に環装することが可能である。このパネル支持体Ａは、支持脚４の先端がベースプレート１３に当接すると共に環状脚５の先端がナット１４の上面に当接して該プレート１３に載置される。このとき、水平部３の上面レベルは予め設定されたパネル１２の下端レベルと一致し、且つ水平部３は３つの支持脚４と２つの環状脚５からなる５点で支持されている。
【００２９】
次いで、出隅部にコーナーパネル１２を配置すると共に角形柱１１に隣接させて立設させ、下端部をパネル支持体Ａに載置する。このとき、コーナーパネル１２の重量は水平部３，支持脚４，環状脚５を介してベースプレート１３，ナット１４に伝達される。従って、コーナーパネル１２の断面形状に対応する位置には２つの支持脚４と１つの環状脚５が配置されることとなり、パネル支持体Ａに偏荷重が作用することなく、安定した状態で支持することが可能である。またコーナーパネル１２は図示しないブラケットを介して角形柱１１或いは躯体を構成する他の部材に固定される。
【００３０】
更に、コーナーパネル１２の幅方向に外壁パネル１８を連設して外壁を構成する。この外壁パネル１８は図８に示すように、下端が基礎梁１９上に固定された長尺状の壁受用金物２０によって支持され、幅方向の端部がパネル支持体Ａに載置される。従って、外壁パネル１８の重量は主として壁受用金物２０を介して基礎梁１９によって支持される。
【００３１】
コーナーパネル１２及び外壁パネル１８を躯体に取り付けた後、柱脚基礎部１７にモルタル２１を充填してパネル支持体Ａ，ベースプレート１３，アンカーボルト１６，ナット１４等を埋設する。
【００３２】
柱脚基礎部１７にモルタル２１を充填する際に、パネル支持体Ａを構成する分割体１の水平部３とベースプレート１３との間にもモルタルを充填することが可能である。このため、パネル支持体Ａの水平部３の下面とベースプレート１３との間に空隙を生じさせることなく一体化することが可能である。従って、例えば地震時等にパネル支持体Ａの水平部３に面外方向の力が周期的に作用した場合であっても、この力を充分に支持することが可能となる。
【００３３】
図７は独立柱としての機能を有する角形柱１１に隣接させて立設した４つのコーナーパネル１２の下端部をパネル支持体Ａによって支持する構造を説明するものである。独立柱を構成する角形柱１１に隣接して立設した各コーナーパネル１２の下端は、夫々パネル支持体Ａの水平部３に載置されて支持される。この場合であっても、各コーナーパネル１２を前述した出隅部に配置されたコーナーパネル１２と全く同様にしてパネル支持体Ａによって支持することが可能である。
【００３４】
図８は外壁の平面部に配置された角形柱１１にパネル支持体Ａを環装した構造を説明するものである。外壁の平面部では基礎梁部１９，柱脚基礎部１７が直列に形成され、柱脚基礎部１７に固定された角形柱１１に隣接して外壁パネル１８が立設され、該外壁パネル１８は基礎梁部１９を通して連設される。
【００３５】
柱脚基礎部１７に固定された角形柱１１を挟んで一対の分割体１が配置され、夫々掛合部２ａを係止部２ｂに掛合することで接合されてパネル支持体Ａを構成している。このパネル支持体Ａは支持脚４の先端がベースプレート１３に当接すると共に環状脚５の先端がナット１４の上面に当接している。このとき、パネル支持体Ａの水平部３は基礎梁部１９の天端レベルと一致したレベルを有している。
【００３６】
外壁パネル１８は下端部が全幅に渡って基礎梁部１９に固定された壁受用金物２０に支持されており、幅方向の端部が角形柱１１の柱心に対応する位置に配置される。従って、壁受用金物２０の端部側はパネル支持体Ａの水平部３に載置され、壁受用金物２０に分布した外壁パネル１８の荷重は、水平部３，１つの支持脚４，１つの環状脚５を介してベースプレート１３，ナット１４に夫々伝達される。
【００３７】
従って、壁受用金物２０を介して外壁パネル１８の荷重の一部がパネル支持体Ａに作用したとき、この荷重を少なくとも２点で支持することが可能となり、パネル支持体Ａに偏荷重が作用することなく安定した状態で支持することが可能である。
【００３８】
【発明の効果】
以上詳細に説明したように本発明に係るパネル支持体では、各分割体の互いに接合する端部と該端部の中間に板状の支持脚を設けると共にアンカーボルトと対応する位置に環状脚を設けたので、角形柱に隣接させて立設したパネルが平板状の外壁パネルであるか屈折したコーナーパネルであるかに関わらず、水平部に載置されたパネルを１つ〜２つの支持脚と１つの環状脚によって支持することが可能となり、水平部に偏荷重等の無理な力が作用することなく安定した支持状態を保持することが出来る。
【００３９】
また環状脚がアンカーボルトと対応する位置に形成されるため、一対の分割体を接合して構成したパネル支持体をベースプレート上に配置する際に該環状脚にアンカーボルトを嵌合させることで、容易にパネル支持体の位置決めを行うことが出来る。特に、環状脚と対応する水平部に穴を形成した場合には、アンカーボルトの長手方向に対する施工誤差を吸収することが出来る。
【００４０】
各分割体の対向する接合部位に掛合部を設けたので、一対の分割体を対向させて掛合部を掛合させることで容易にパネル支持体を構成することが可能となり、施工性を向上させることが出来る。
【００４１】
また分割体を合成樹脂によって成形した場合には、水平部，弾性を持った掛合部，板状の支持脚，環状脚を一体的に成形することが可能となり、寸法精度の安定したものを鋼製のものと比較して安価に製造することが出来る。特に、水平部の周縁にリブを形成することによって、合成樹脂の成形体であっても充分な強度を保証することが出来る。
【図面の簡単な説明】
【図１】パネル支持体の構成を説明する図である。
【図２】分割体の三面図である。
【図３】分割体の裏面図である。
【図４】掛合部の例を説明する図である。
【図５】パネル支持体を出隅部に配置する場合の構成を説明する展開図である。
【図６】出隅部に於けるパネル支持体とパネルとの関係を説明する図である。
【図７】独立柱を構成する際のパネル支持体とパネルとの関係を説明する図である。
【図８】外壁の平面部を構成する際のパネル支持体とパネルとの関係を説明する図である。
【符号の説明】
Ａ              パネル支持体
１              分割体
２              掛合部
２ａ            掛合突起
２ａ１            引掛部
２ｂ            係止部
３              水平部
３ａ，３ｂ      接合片
３ｃ            接続片
４              支持脚
５              環状脚
５ａ            穴
６              リブ
７              位置決め片
８              スリット
１１              角形柱
１２              コーナーパネル
１３              ベースプレート
１４              ナット
１６              アンカーボルト
１７              柱脚基礎
１８              外壁パネル
１９              基礎梁
２０              壁受用金物
２１              モルタル
【図１】
0003563499.tif 000002
【図２】
0003563499.tif 000003
【図３】
0003563499.tif 000004
【図４】
0003563499.tif 000005
【図５】
0003563499.tif 000006
【図６】
0003563499.tif 000007
【図７】
0003563499.tif 000008
【図８】
0003563499.tif 000009